(57)【要約】　　　（修正有）【課題】　使用者の経済負担を減らし、隔離効果を高めたマスクの提供。【解決手段】　従来のマスクの、使用後に破棄しなければならないという欠点を改良し、消毒後に重複使用できるマスクに使用後に破棄するフィルタ布２を組み合わせることにより、使用者の経済負担を減らし、且つマスクカバーの局部の複数の通気溝の設計により、空気中の細菌との接触面を減らして大幅に隔離効果を高めた。【選択図】　　　　図５
0003099683.tif 000002
【実用新案登録請求の範囲】
【請求項１】
　位置決めバンドを通すための複数の位置決め孔が設けられて外側面の上方に折り曲げやすい細長い金属片が設けられ、使用者がマスクを着用後にこの細長い金属片を押して曲げることにより、使用者により異なる鼻梁曲線に適合させることができ、これにより密着性を高めることができるマスクカバーと、フィルタ布で組成されてフィルタ布を交換できるマスクにおいて、
　該マスクカバーが、人体の顔部の鼻と口部周辺を被覆する中空カバー体とされて、一体成形されてなり、局部に複数の通気溝が設けられ、複数の通気溝間が傾斜角度を有する横柵板で区画されて飛沫、唾液等の異物の滑り落ちを案内し、該フィルタ布がマスクカバーの内面形状に対応する内カバー体を具え、該内カバー体で該マスクカバーの内面に貼り付けられ、
　マスク使用後にフィルタ布が破棄されてマスクカバーが消毒後に重複使用可能とされ、マスクカバーの局部の複数の通気溝によりマスクカバーの他の非通気部分により空気中の細菌との接触面が減らされて隔離効果が高められたことを特徴とする、マスク。
【請求項２】
　請求項１記載のマスクにおいて、フィルタ布のマスクカバーの内面の形状に対応する内カバー体に一体に拡大被覆部分が延設されて顔に対する被覆面積が増されたことを特徴とする、マスク。
【考案の詳細な説明】
【技術分野】
【０００１】
　本考案は、従来のマスクの、使用後に破棄しなければならないという欠点を改良し、消毒後に重複使用できるマスクに使用後に破棄するフィルタ布を組み合わせることにより、使用者の経済負担を減らし、且つマスクカバーの局部の複数の通気溝の設計により、空気中の細菌との接触面を減らして大幅に隔離効果を高めたマスクに関する。
【背景技術】
【０００２】
　周知のマスクは、図１、２に示されるようであり、それは、切断、周辺定型加工によりフィルタ布で構成されたカバー３を得て、その後にカバー３の両側に溶接或いは通す方式で上位置決めバンド３１と下位置決めバンド３２を組み合わせ、並びにカバー３の前側の上方に折り曲げ易い細長い金属薄片３３を固定し、且つ別にカバー３の内面の上方に適当な面積のスポンジ３４を連結してなる。このようなマスクは以下のような欠点がある。
　１．使用後の破棄しなければならず、使用の負担が増した。
　２．全体のマスク３が全面で空気中の細菌と接触するため隔離効果が低い。
　３．製造加工が煩瑣であり、製造コストが高くなる。
【考案の開示】
【考案が解決しようとする課題】
【０００３】
　ゆえに、本考案は従来のマスクの欠点を改良した一種のマスクを提供する。それは、以下の目的を有する。
　１．使用後にフィルタ布を破棄し、マスクカバーを消毒後に重複使用できるようにし、使用者の経済負担を減らすことができるようにする。
　２．マスクカバーの局部に複数の通気溝を設けてマスクカバーのその他の部分により空気中の細菌との接触面積を減らして隔離効果を大幅に高める。
　３．マスクカバーの局部の複数の通気溝を隔てる横柵板がそれぞれ傾斜角度を有して飛沫、唾液等の異物の滑り落ちを案内し、病原菌の伝染の可能性を減らす。
【課題を解決するための手段】
【０００４】
　請求項１の考案は、位置決めバンドを通すための複数の位置決め孔が設けられて外側面の上方に折り曲げやすい細長い金属片が設けられ、使用者がマスクを着用後にこの細長い金属片を押して曲げることにより、使用者により異なる鼻梁曲線に適合させることができ、これにより密着性を高めることができるマスクカバーと、フィルタ布で組成されてフィルタ布を交換できるマスクにおいて、
　該マスクカバーが、人体の顔部の鼻と口部周辺を被覆する中空カバー体とされて、一体成形されてなり、局部に複数の通気溝が設けられ、複数の通気溝間が傾斜角度を有する横柵板で区画されて飛沫、唾液等の異物の滑り落ちを案内し、該フィルタ布がマスクカバーの内面形状に対応する内カバー体を具え、該内カバー体で該マスクカバーの内面に貼り付けられ、
　マスク使用後にフィルタ布が破棄されてマスクカバーが消毒後に重複使用可能とされ、マスクカバーの局部の複数の通気溝によりマスクカバーの他の非通気部分により空気中の細菌との接触面が減らされて隔離効果が高められたことを特徴とする、マスクとしている。
　請求項２の考案は、請求項１記載のマスクにおいて、フィルタ布のマスクカバーの内面の形状に対応する内カバー体に一体に拡大被覆部分が延設されて顔に対する被覆面積が増されたことを特徴とする、マスクとしている。
【考案の効果】
【０００５】
　本考案は以下のような効果を有している。
　１．使用後のフィルタ布を破棄し、マスクカバーを消毒した後に重複使用でき、使用者の経済負担を減らすことができる。
　２．マスクカバーの局部に複数の通気溝が設けられ、マスクカバーのその他の非通気部分により空気中の細菌との接触面積が減らされるため、隔離効果が増す。
　３．マスクカバーは一体成形されてさらにバンドが通されて位置決めされ、フィルタ布２もまた一次裁断成形され、このため製造加工が簡単で大量に快速生産できる。
　４．マスクカバーの複数の横柵板が傾斜角度を有して飛沫、唾液等の異物の下への滑り落ちを案内するため、病原菌の伝染の可能性を減らすことができる。
【考案を実施するための最良の形態】
【０００６】
　図３から図７に示されるように、本考案のマスクは、マスクカバー１とフィルタ布２で組成されフィルタ布２を交換可能なマスクである。
【０００７】
　該マスクカバー１は、人体顔部の鼻と口部の周辺を被覆する中空カバー体とされ、一体成形されて複数の位置決め孔１２を具え、該位置決め孔１２に位置決めバンド１３が通され、且つマスクカバー１の局部に一体に複数の通気溝１９１が設けられ、各通気溝１９１相互間が複数の横柵板１９２で区画され、並びに横柵板１９２が傾斜状を呈する。
【０００８】
　該フィルタ布２は、マスクカバー１の内面１０（図４参照）形状に対応しマスクカバー１の内面１０に貼り付けられる内カバー体２１を具え、且つ内カバー体２１に一体に延伸された拡大被覆部分２１０が設けられて顔部被覆面積が増加されている。
【０００９】
　前述の部品で組成されたマスクは、使用後にフィルタ布２が破棄され、マスクカバー１が消毒された後、新たなフィルタ布２と組み合わせられ、衛生の原則に符合する。且つマスクカバー１が重複使用でき、従来のマスクが使用後に全体を破棄しなければならなかったことに較べ、使用者の経済負担を減らすことができる。また、マスクカバー１に複数の通気溝１９１が設けられ、マスクカバー１の他の非通気部分により空気中の細菌との接触面積が減り、これにより大幅に隔離効果が高められる長所を有している。
【００１０】
　さらに、前述のマスクカバー１の外側面の上方に穿孔１１があり、折り曲げやすい細長い金属板１５が通されて、使用者がマスクを装着した後にこの細長い金属板１５の部分により使用者により異なる顔の鼻梁曲線に符合するよう調整でき、これにより密着性を増すことができる。
【００１１】
　また、図６、７に示されるのは、フィルタ布２の形状がやや異なった実施状態である。その主要な内容は前述の実施例と同じであるため説明は省略する。
【００１２】
　総合すると、本考案は以下のような効果を有している。
　１．使用後のフィルタ布２を破棄し、マスクカバー１を消毒した後に重複使用でき、使用者の経済負担を減らすことができる。
　２．マスクカバー１の局部に複数の通気溝１９１が設けられ、マスクカバー１のその他の非通気部分により空気中の細菌との接触面積が減らされるため、隔離効果が増す。
　３．マスクカバー１は一体成形されてさらにバンドが通されて位置決めされ、フィルタ布２もまた一次裁断成形され、このため製造加工が簡単で大量に快速生産できる。
　４．マスクカバー１の複数の横柵板１９２が傾斜角度を有して飛沫、唾液等の異物の下への滑り落ちを案内するため、病原菌の伝染の可能性を減らすことができる。
【図面の簡単な説明】
【００１３】
【図１】周知のマスクの斜視図である。
【図２】周知のマスクの別角度から見た斜視図である。
【図３】本考案のマスクカバーとフィルタ布の分解斜視図である。
【図４】本考案のマスクカバーの別角度から見た分解斜視図である。
【図５】本考案のマスクカバーとフィルタ布の組合せ後の斜視図である。
【図６】本考案のマスクカバーと別形状のフィルタ布の分解斜視図である。
【図７】本考案のマスクカバーと別形状のフィルタ布の組合せ後の斜視図である。
【符号の説明】
【００１４】
１　マスクカバー
２　フィルタ布
１２　位置決め孔
１３　位置決めバンド
１９１　通気溝
１９２　横柵板
１０　内面
２１　内カバー体
２１０　拡大被覆部分
１５　細長い金属板
【図１】
0003099683.tif 000003
【図２】
0003099683.tif 000004
【図３】
0003099683.tif 000005
【図４】
0003099683.tif 000006
【図５】
0003099683.tif 000007
【図６】
0003099683.tif 000008
【図７】
0003099683.tif 000009